(57)【特許請求の範囲】
【請求項１】
無線通信システムにおいて使用される基地局にて実行される方法であって、
データストリームパラメータを示すインデックスを送信することと、
基地局の送信アンテナ数を送信することと、を含み、
８つの送信アンテナに対する前記データストリームパラメータは、第１の表に従った前記インデックスにより示され、
４つの送信アンテナに対する前記データストリームパラメータは、第２の表に従った前記インデックスにより示され、
前記第１の表は、
【表１】
0005409956.tif 000009
0005409956.tif 000010
0005409956.tif 000011
を含み、
前記第２の表は、
【表２】
0005409956.tif 000012
0005409956.tif 000013
を含む、方法。
【請求項２】
前記データストリームパラメータに従って、データ信号を送信すること、をさらに含む請求項１に記載の方法。
【請求項３】
無線通信システムにおいて使用されるユーザ装置にて実行される方法であって、
データストリームパラメータを示すインデックスを受信することと、
基地局の送信アンテナ数を受信することと、を含み、
８つの送信アンテナに対する前記データストリームパラメータは、第１の表に従った前記インデックスにより示され、
４つの送信アンテナに対する前記データストリームパラメータは、第２の表に従った前記インデックスにより示され、
前記第１の表は、
【表３】
0005409956.tif 000014
0005409956.tif 000015
を含み、
前記第２の表は、
【表４】
0005409956.tif 000016
0005409956.tif 000017
を含む、方法。
【請求項４】
前記データストリームパラメータに従って、データ信号を受信すること、をさらに含む請求項３に記載の方法。
【請求項５】
無線通信システムにて用いられる基地局であって、
データストリームパラメータを示すインデックスおよび基地局の送信アンテナ数を送信する送信機を備え、
８つの送信アンテナに対する前記データストリームパラメータは、第１の表に従った前記インデックスにより示され、
４つの送信アンテナに対する前記データストリームパラメータは、第２の表に従った前記インデックスにより示され、
前記第１の表は、
【表５】
0005409956.tif 000018
0005409956.tif 000019
を含み、
前記第２の表は、
【表６】
0005409956.tif 000020
0005409956.tif 000021
0005409956.tif 000022
を含む、基地局。
【請求項６】
前記送信機は、前記データストリームパラメータに従って、データ信号をさらに送信する、請求項５に記載の基地局。
【請求項７】
無線通信システムにおいて用いられるユーザ装置であって、
データストリームパラメータを示すインデックスおよび基地局の送信アンテナ数を受信する受信機を備え、
８つの送信アンテナに対する前記データストリームパラメータは、第１の表に従った前記インデックスにより示され、
４つの送信アンテナに対する前記データストリームパラメータは、第２の表に従った前記インデックスにより示され、
前記第１の表は、
【表７】
0005409956.tif 000023
0005409956.tif 000024
を含み、
前記第２の表は、
【表８】
0005409956.tif 000025
0005409956.tif 000026
0005409956.tif 000027
を含む、に記載のユーザ装置。
【請求項８】
前記受信機は、前記データストリームパラメータに従って、データ信号をさらに受信する、請求項７に記載のユーザ装置。
【請求項９】
無線通信システムにおいて実行される方法であって、
基地局からユーザ装置に、データストリームパラメータを示すインデックスを送信することと、
前記基地局から前記ユーザ装置に、前記基地局の送信アンテナ数を送信することと、を含み、
８つの送信アンテナに対する前記データストリームパラメータは、第１の表に従った前記インデックスにより示され、
４つの送信アンテナに対する前記データストリームパラメータは、第２の表に従った前記インデックスにより示され、
前記第１の表は、
【表９】
0005409956.tif 000028
0005409956.tif 000029
0005409956.tif 000030
を含み、
前記第２の表は、
【表１０】
0005409956.tif 000031
0005409956.tif 000032
0005409956.tif 000033
を含む、方法。
【請求項１０】
前記基地局から前記ユーザ装置に、前記データストリームパラメータに従って、データ信号を送信すること、をさらに含む、請求項９に記載の方法。
【請求項１１】
ユーザ装置と、
前記ユーザ装置に、データストリームパラメータを示すインデックスおよび基地局の送信アンテナ数を送信する基地局と、を備え、
８つの送信アンテナに対する前記データストリームパラメータは、第１の表に従ったインデックスにより示され、
４つの送信アンテナに対する前記データストリームパラメータは、第２の表に従ったインデックスにより示され、
前記第１の表は、
【表１１】
0005409956.tif 000034
0005409956.tif 000035
0005409956.tif 000036
を含み、
前記第２の表は、
【表１２】
0005409956.tif 000037
0005409956.tif 000038
0005409956.tif 000039
を含む、無線通信システム。
【請求項１２】
前記基地局は、前記ユーザ装置に、前記データストリームパラメータに従って、データ信号をさらに送信する、請求項１１に記載の無線通信システム。
【発明の詳細な説明】
【技術分野】
【０００１】
関連出願情報
本願は、本明細書に参照によって援用される２０１０年８月１３日に提出された仮出願番号第６１／３７３，５３８号に対する優先権を主張する。
【０００２】
本出願は、本明細書に参照によって援用される２００９年１２月１８日に提出された同時係属中の同一出願人が所有する実用新案出願番号第１２／６４２，１２６号にも関連している。
【０００３】
本発明は、無線送信装置に関し、特にそのような装置における制御情報の搬送に関する。
【背景技術】
【０００４】
直交周波数分割多重（ＯＦＤＭＡ）方式の装置などの広帯域無線装置において、移動ユーザへのダウンリンクにおいて送信されたデータストリームに関する制御情報は、装置の基地局によって制御チャネルを通して明示的に信号伝達される。この情報において指定される複数のパラメータは、送信速度と復号精度に相当に影響する。たとえば、ＬＴＥ−Ａｄｖａｎｃｅｄ標準について、１つの提案は、マルチユーザ（ＭＵ）−ＭＩＭＯ送信におけるストリームの総数、複数のストリーム識別子の特定のユーザへの割り当て、および他の同時にスケジューリングされている複数入力−複数出力（ＭＩＭＯ）ユーザによって利用される変調形式を信号伝達する。
【発明の概要】
【発明が解決しようとする課題】
【０００５】
その場合、複数の制御信号は、全てのフィードフォワード制御パラメータを共に考慮することによって構成される。たとえば、５ビット長のフィードフォワードシーケンスについては、２５＝３２つの異なる考え得るインデックスが２ストリーム、４ストリーム、および８ストリームの送信にそれぞれ対応するように割り当てられている異なる集合に分割される。
【課題を解決するための手段】
【０００６】
本原理の典型的な実施態様は、複数のフィードフォワード制御信号パラメータと組み合わされた送信アンテナ数を採用することによって、複数の受信機に送信可能な制御情報の範囲を改善することができる。
【０００７】
一実施態様は、パラメータ割り当て情報を復号する方法を対象としている。本方法によれば、選択されている複数のデータストリームパラメータを示しているインデックスが受信される。さらに、データストリームが送信される送信機における送信アンテナ数の指示も受信される。さらに、選択されている複数のパラメータは送信機における送信アンテナ数に基づいてインデックスから求められる。また、複数のデータ信号が受信され、選択されている複数のデータストリームパラメータに従ってプロセッサを使用して処理される。
【０００８】
一実施態様は、パラメータ割り当て情報を復号する受信機装置を対象としている。装置は、少なくとも１つのデータストリームについて選択されている複数のデータストリームパラメータを示しているインデックスを受信し、少なくとも１つのデータストリームが送信される送信機における送信アンテナ数の指示を受信するように構成されている受信機を有している。装置は、送信機における送信アンテナ数に基づいてインデックスから選択されている複数のパラ−メータ求め、選択されている複数のデータストリームパラメータに従って複数のデータ信号を処理するように構成されているプロセッサをさらに有している。
【０００９】
代替の実施態様は、無線送信装置を対象にしている。装置は、複数の基地局であって、各基地局は対応している受信機への少なくとも１つのデータストリームの送信用の異なる数の送信アンテナを有している。さらに、装置は、対応している受信機用の複数のデータストリームパラメータを選択し、インデックス付けスキームを利用して対応している受信機に対する選択されている複数のデータストリームパラメータ用のインデックスを求めるように構成されている少なくとも１つのコントローラを有している。ここで、各基地局は様々なインデックス付けスキームを利用し、各インデックス付けスキームは、対応する基地局の送信アンテナの対応する数に対してカスタマイズされている。
【００１０】
これらの、そしてその他の特徴と利点とは、添付図面と共に読むべきそれらの具体的な実施形態の以下の詳細な説明から明らかになるであろう。
【００１１】
本開示は、好ましい実施形態の以下の説明において、図面を参照して詳細を示す。
【図面の簡単な説明】
【００１２】
【図１】典型的な無線送信装置の高レベルのブロック図である。
【図２】本発明の典型的な実施形態による基地局と受信機との高レベルのブロック図／流れ図である。
【図３】データストリームパラメータ情報を送信する典型的な方法の高レベルブロック図／流れ図である。
【図４】パラメータ割り当て情報を復号する典型的な方法の高レベルのブロック図／流れ図である。
【発明を実施するための形態】
【００１３】
本原理の一態様によれば、受信機に搬送されるデータストリーム情報の精度と範囲とは、基地局における送信（ＴＸ）アンテナの数を採用することによって改善することができる。特に、受信機は、複数の制御信号の複数のビットを基地局におけるＴＸアンテナの異なる数に対して異なるように解釈することができる。ここで、ＴＸアンテナの数は、独立して受信機に信号伝達することができる。装置構成、特に基地局における送信アンテナ数は、そのような装置においては、接続を確立するために複数の受信機によって検知できなければならない。基地局におけるＴＸアンテナの数を示す信号伝達は公知の複数の装置が一般的に対応している。そのため、データストリームパラメータの精度と複数の制御信号の範囲とに対する本原理による改善は、基地局と受信機との間で送信される情報の量を増加させずに達成することができる。
【００１４】
同じ番号は同じまたは同様な要素を示している複数の図を詳細に参照し、最初に図１を参照すると、本発明の複数の実施形態を実装してもよいＯＦＤＭＡ方式のＭＵ−ＭＩＭＯ装置１００を示している。装置１００のダウンリンクにおいて、セル１０６、１１０、および１１４における複数のスケジュールされているユーザつまり受信機（Ｒｅｃ．）１０２は、複数のリソースブロック（ＲＢ）の利用可能な複数の集合において同時に基地局１０４、１０８、および１１２のサービスをそれぞれ受ける。各ＲＢは、複数のサブキャリヤと連続しているＯＦＤＭシンボルとの特定の集合である。説明のために、基地局１０４は８つの送信アンテナを備えている基地局を表し、基地局１０８は４つの送信アンテナを備えている基地局を表し、基地局１１２は２つの送信アンテナを備えている基地局を表すことができる。当然、装置１００内の複数の基地局は、他の数の送信アンテナを採用することができる。さらに、特定の実施形態において、装置１００内の１つまたは２つ以上の基地局は同じ数の送信アンテナを有することができる。さらに、複数の受信機１０２は、同様に構成し、共にスケジューリングすることができる。共にスケジューリングされている複数の受信機は、たとえば、１つまたは２つ以上の他の受信機に割り当てられている少なくとも１つのリソースブロック（ＲＢ）と重複している少なくとも１つのＲＢに割り当てられている複数の受信機を有することができる。
【００１５】
装置１００内に実装可能なＯＦＤＭＡ  ＭＵ−ＭＩＭＯ装置において、各アクティブなユーザつまり受信機は、基地局とユーザとの間の複数の信号を符号化するのに使用される単位正規ベクトル（または行列）のコードブック内の特定のベクトル（または行列）を識別する好ましいプリコーダマトリクスインデックス（ＰＭＩ）を報告することができる。さらに、各受信機は、チャネル品質インデックス（ＣＱＩ）を基地局に報告することが可能で、それに対して、基地局はスケジュールされている複数のユーザと各ユーザに対する複数のデータストリームパラメータの適切な集合を求めるためにＰＭＩとＣＱＩを使用することができる。基地局は、各スケジューリングされている受信機に、それぞれのスケジューリングされているユーザにデータを送信するのに使用される、割り当てられている複数のリソースブロックを示すことができるその受信機の複数のデータストリームパラメータを提供する。
【００１６】
そのような装置において、スケジューリングされている受信機に、他の重複している共にスケジューリングされている複数のユーザの複数の対応しているプリコーディング行列、複数のパワーレベル、データストリームの識別子の複数の割り当て、および複数の変調などのこれらのユーザの何らかのデータストリームパラメータが通知される場合、性能を改善することができる。たとえば、以下でさらに説明するように、そのような情報によって、ユーザは有効な複数のチャネルを予測し、復号誤りを減少させ、重複している共にスケジューリングされているユーザを対象としている送信による干渉を抑制することができる。本明細書において以下で説明する本発明の典型的な実施形態は、基地局が他の重複している共にスケジューリングされている受信機の複数のデータストリームパラメータを、受信機自体の複数のデータストリームパラメータに加えて１つまたは２つ以上のスケジューリングされている受信機に効果的に搬送できるようにする信号伝達構成の複数の特徴を採用することができる。
【００１７】
ただし、装置１００の任意の基地局はスケジューリングされている受信機１０２とデータチャネル１０３と制御チャネル１０５とを使用することによって通信することができる。たとえば、全てのスケジュールされている複数のユーザのデータは、データチャネル１０３を通して送信されてもよい。ユーザは、ユーザがアクセス可能に設定されている複数のデータストリームパラメータを使用してユーザのデータを復号することができる。それに対して、全てのスケジュールされているユーザの複数のデータストリームパラメータが制御チャネル１０５を通して送信されてもよい。各ユーザは、いくつかのまたは全ての重複しているスケジュールされているユーザの少なくとも何らかのデータストリームパラメータと共に自身の複数のデータストリームパラメータにアクセスすることができる。
【００１８】
引き続き図１を参照しながらここで図２を参照すると、基地局装置２０１とＭＵ−ＭＩＭＯ受信装置１０２とのより詳細なブロック図／流れ図を示している。基地局装置２０１は、装置１００の任意の基地局の代表とすることができる。しかし、コントローラ２０６の複数の機能は、以下でより詳細に説明するように、基地局で採用されているＴＸアンテナの数に基づいて変化することができる。コントローラ２０６は、以下でより詳細に説明する表２などのインデックス付けテーブルの保存と検索のために、基地局２０１においてストレージ媒体（不図示）も利用することもできる。さらに、受信機１０２は、アップリンク制御チャネル２０２と共に基地局２０１にプリコーダマトリックスインデックス情報とチャネル品質情報とを送信するように送信機／受信機２１２を採用することができる。それに対して、基地局２０１は、ダウンリンク制御チャネル１０５を通してサービスを提供している各ＭＵ−ＭＩＭＯ受信機へのデータストリームパラメータ情報の送信に送信機／受信機２０８を使用してもよい。ユーザ１０２はプロセッサ２１０を有していてもよいのに対して、基地局２０１はオプションのスケジューラ２０４とコントローラ２０６とをさらに有していてもよい。基地局２０１とＭＵ−ＭＩＭＯ受信機１０２との複数の要素を、方法の実施形態について以下でより詳細に説明する。ただし、ＭＵ−ＭＩＭＯ受信機１０２の複数の機能と構成とは代表的なものであって、基地局２０１のサービスを受ける任意の１つまたは２つ以上のＭＵ−ＭＩＭＯ受信機によって実装することができる。
【００１９】
当然、本明細書で説明した実施形態は、ハードウェア構成要素だけで、ソフトウェア構成要素だけで、またはハードウェアとソフトウェアの構成要素とで構成してもよい。好ましい実施形態では、本発明は、ファームウエア、常駐ソフトウェア、マイクロコード等を有する、しかしこれらには限定されないハードウェアとソフトウェアで実装されている。
【００２０】
実施形態は、コンピュータまたは任意の命令実行装置によってまたはそれらと共に使用されるプログラムコードを提供するコンピュータが使用可能なまたはコンピュータが読み取り可能な媒体からアクセス可能なコンピュータプログラム製品を有していてもよい。コンピュータが使用可能なまたはコンピュータが読み取り可能な媒体には、命令実行装置によってまたはそれと共に使用されるプログラムを保存し、通信し、伝搬させ、または運搬する任意の装置が含まれる。媒体は、磁気、光学、電子、電磁、赤外線、または半導体の装置または伝搬媒体とすることができる。媒体は、半導体メモリ、磁気テープ、取り外し可能なコンピュータディスケット（登録商標）、ランダムアクセスメモリ（ＲＡＭ）、読み取り専用メモリ（ＲＯＭ）、非柔軟磁気ディスク、光学ディスク等のコンピュータが読み取り可能な保存媒体を有していてもよい。
【００２１】
プログラムコードの保存と実行の少なくとも一方に適しているデータ処理装置は、システムバスを通して複数のメモリ素子に直接的にまたは間接的に結合されている少なくとも１つのプロセッサを有していてもよい。複数のメモリ素子はプログラムコードの実際の実行時に採用されるローカルメモリ、バルクストレージ、および実行時にバルクストレージからコードを検索する回数を減少させるように少なくとも何らかのプログラムコードの一時的な保存場所を提供するキャッシュメモリを有することができる。入力／出力装置つまりＩ／Ｏ装置（キーボード、ディスプレイ、ポインティングデバイス等を含むがこれらには限定されない）が直接的にまたは介在するＩ／Ｏコントローラを通して本装置に接続されていてもよい。
【００２２】
本データ処理装置を、介在する私的なまたは公的なネットワークを通して他のデータ処理装置、遠隔プリンタ、またはストレージ装置に結合できるように、ネットワークアダプタも、本装置に結合されていてもよい。モデム、ケーブルモデム、およびイーサネットカードは現在利用可能な種類のネットワークアダプタのいくつかに過ぎない。
【００２３】
本原理によってもたらされる利点をよりよく説明するために、複数のデータストリームパラメータを複数の受信機まで搬送するのに使用可能な提案するインデックス付けスキームの例を本明細書で以下の表１に示している。ここで、Ｓｉは、特定のリソースに割り当てられているストリームの数と、ＭＵ−ＭＩＭＯ送信において受信機に割り当てられているパイロットストリームインデックス（ＰＳＩ）と、対にされているユーザの変調コンステレーションとの組み合わせを識別するのに使用されるインデックスを表している。パイロットストリームインデックスは、受信機用の複数のパイロット信号を見出すことのできる複数のリソースブロックを示すことができる。
【００２４】
表１−典型的なインデックス付けスキーム
0005409956.tif 000002
【００２５】
0005409956.tif 000003
【００２６】
前述のように、５ビット長のフィードフォワードデータを使用すると、２５＝３２つの異なるインデックスが２ストリーム、４ストリーム、および８ストリームの送信にそれぞれ対応するように割り当てられている異なる集合に分割される。
【００２７】
表１のインデックス付けスキームとは対照的に、本原理の実施形態は、既存の複数の装置構成と特に送信アンテナ数の複数の受信機への搬送を活用することができる。たとえば、送信アンテナ数は、複数の受信機に明示的に信号伝達することができる。したがって、基地局と受信機とは、送信（ＴＸ）アンテナの数に基づいて、制御信号ビットを解釈することができる。たとえば、利用可能なストリームの数、受信機に割り当てられているストリーム識別子、ダウンリンクＭＵ−ＭＩＭＯ装置内の他の共にスケジュールされている複数のユーザの変調形式の組み合わせを、送信アンテナ数に基づいて様々に解釈することができる。
【００２８】
これらの特徴を実装するために、典型的な実施形態において、以下の複数の態様をまとめて考慮することができる。第１に、基地局における送信アンテナ数は受信機に知られている。第２に、複数の受信アンテナを備えているユーザに割り当てられているストリームの数はＭ以下である。第３に、ダウンリンク内で送信されるストリームの数は、基地局における送信アンテナ数以下である。
【００２９】
ここで認識される１つの重要な利点は、特定のリソースブロック上で送信されるデータストリームの数は、基地局におけるＴＸアンテナの数によって制限できるということである。したがって、５ビットフィードフォワードの例について説明を継続すると、３２つの考え得るインデックスを分割し、インデックスの複数の部分集合を、表１に示しているように、それぞれ２ＴＸ、４ＴＸ、または８ＴＸのデータストリーム送信に割り当てるのとは反対に、複数の本原理は、実質的に実現不可能な送信の場合を無視することによって、特定の種類のデータストリーム送信に割り当てられているインデックスの数を拡張することができる。
【００３０】
たとえば、装置１００の基地局１１２、１０８、および１０４について、それぞれ前述のようにダウンリンクにおいて２つのＴＸアンテナ、４つのＴＸアンテナ、および８つのＴＸアンテナのいずれかを備えているＭＵ−ＭＩＭＯ装置の３つの考え得る構成が存在すると仮定することができる。制御信号のビットシーケンスは、ビットシーケンス全ての考え得る組み合わせの表から得ることができる。これらの組み合わせの部分集合を、特定の数の利用可能なストリームに割り当てることができる。
【００３１】
たとえば、Ｋ個のストリームの対応する任意の部分集合は、少なくともＫ個のアンテナを備えている装置にだけ適用することができる。たとえば、８つのストリーム用の信号伝達情報を搬送するビットの組み合わせの集合は、基地局に８つのＴＸアンテナを備えている装置にだけ適用可能である。たとえば４つのＴＸアンテナを備えている基地局においてなど、そのような構成が利用可能ではない場合、ビットの組み合わせのこの部分集合は、基地局によって情報を信号伝達できない点で「無駄になる」。複数の本原理の複数の態様によれば、前述のように、複数の制御信号の複数のビットの組み合わせは、異なるＴＸアンテナについて異なるように解釈できる。特に、基地局の各種類について、実施形態は、信号伝達情報を搬送するために潜在的に全ての組み合わせを有用に利用できる。
【００３２】
５ビット長信号伝達の例の説明を続けると、３２つの異なるビットの組み合わせを信号伝達に使用することができる。これらの３２ビットの解釈は、基地局の位置で８つのＴＸアンテナ、４つのＴＸアンテナ、および２つのＴＸアンテナを備えている複数の装置の複数のユーザに情報を信号伝達するために全ての３２ビットの組み合わせを潜在的に使用できるようにＴＸアンテナの数の受信機１０２における事前の知識に基づいて変わる。したがって、基地局は、他の同時にスケジューリングされているユーザに対してより多くの種類の変調の場合を信号伝達することができる。
【００３３】
以下の表２は、２人の同時にスケジューリングされているユーザに変調情報が提供される５つの信号伝達ビットを備えているインデックス付けスキームの典型的な複数の実装をもたらす。表は、その他の場合においては、変調情報をもたらさず、ユーザに割り当てられている複数のストリームのインデックスだけを提供する。しかし、当然以下の表は典型的であるに過ぎず、送信機における送信アンテナ数に基づいている他のインデックス付けスキームを利用することができる。
【００３４】
Ｓｉは、ストリームの数、割り当てられているパイロットストリームインデックス、およびＭＵ−ＭＩＭＯ送信装置において同時にスケジューリングされている受信機の変調コンステレーションの組み合わせを識別するために使用されるインデックスを表している。Ｎｔは基地局における送信アンテナ数を表しており、ＰＳＩはユーザに割り当てられているパイロットストリームインデックス（または複数のパイロットストリームインデックス）を表している。ＰＳＩは、複数のパイロットストリームを検索できるリソースブロック内の１つまたは２つ以上の参照シンボルを表すことができる。
【００３５】
表２−ＴＸアンテナの数に基づいているインデックス付けスキーム
0005409956.tif 000004
【００３６】
0005409956.tif 000005
【００３７】
0005409956.tif 000006
0005409956.tif 000007
【００３８】
0005409956.tif 000008
【００３９】
表２の下線が引かれている部分は、テーブル１のインデックス付けスキームと表２に記述されている典型的なインデックス付けスキームの違いを表している。表２に示しているように、４つ以下のＴＸアンテナを備えている高度基地局（ＡＢＳ）について、表１のスキームの８つのＴＸアンテナの基地局を対象としているインデックスは、他の考え得るストリームの割り当て、複数のパイロットストリームインデックス、および同時にスケジューリングされている複数のユーザの複数の変調スキームの組み合わせを記述している追加の場合に割り当てられている。たとえば、８つのＴＸアンテナの基地局から送信されるシーケンス０ｂ１００１０は、８つのデータストリームが送信され、シーケンスまたはインデックスが対象としている受信機にはゼロのＰＳＩが割り当てられていることを示している。それに対して、４つのＴＸアンテナまたは２つのＴＸアンテナの基地局から送信されるシーケンス０ｂ１００１０は、３つのデータストリームが受信機に送信され、基地局は受信機に２のＰＳＩを割り当てており、同時にスケジューリングされているユーザによって採用されている変調スキームは４相位相変調（ＱＰＳＫ）であることを示している。ここで、３つのデータストリーム、２のＰＳＩ、および同時にスケジューリングされているユーザのＱＰＳＫ変調が示しているのは、表１のインデックス付けスキームには含まれていない新しい組み合わせである。表２の下線が引かれている複数のビットシーケンスは他の同様な例を示している。そのため、インデックス付けスキームと共にＴＸアンテナの数を使用することで、複数の受信機に搬送されるデータストリームパラメータ情報の正確さと範囲とを際だって改善することができる。さらに、ＴＸアンテナの数が既に受信機にわかっているので、受信機に送信される制御データの量を増加させずに改善を実装することができる。
【００４０】
ただし、パイロットストリームに関しては、前述のように、パイロットストリームインデックスは、対応しているパイロットストリームが検索可能なリソースブロック内の１つまたは２つ以上の基準シンボルを示すことができる。複数の受信機は、複数のパイロットストリームを配置可能な１つまたは２つ以上のリソースブロック内の複数の参照シンボル位置のパターンにＰＳＩを関連付けるように予め構成することができる。ここで、ＰＳＩに対応している複数のパイロットストリームは、ＰＳＩが割り当てられている受信機用の割り当てられているプリコーダを示すことができる。たとえば、基地局は、プリコーダをユーザに示すために、パイロットストリーム内のパイロット信号を割り当てられているプリコーダを使用して符号化することができる。その代わりに、またはそれに加えて、パイロットストリーム内のパイロット信号をデータ送信に使用されるパワーレベルを示すために比例してスケーリングすることが可能で、比例定数は受信機が既知とすることができる。基地局は、プリコーダマトリックスインデックスと基地局がユーザに送信するデータストリームに関連付けられているパワーレベルとの少なくとも一方を明示的に信号伝達するように複数のパイロットストリームも構成してもよい。さらに、ＰＳＩに関連付けられている１つまたは２つ以上のパイロットストリームは、プリコーダマトリックスインデックスとパワーレベルに加えて、データストリームの送信用に受信機に割り当てられている特定の複数のリソースブロック、コードワードあたりの変調コンステレーション、およびコードワードあたりの符号化速度の少なくとも１つを信号伝達するつまり示すことができる。
【００４１】
当然、前述の複数のインデックス付けスキームは、複数のインデックスを、送信されるストリームの数およびパイロットストリームインデックスと複数のデータストリームパラメータとして相互参照するが、複数のインデックス付けスキームつまり複数のテーブルは明示的に１つまたは２つ以上のインデックスを他の割り当てられている複数のデータストリームパラメータに割り当てることができる。たとえば、インデックス付けスキームつまりテーブルは、受信機に向けて複数のデータストリームが送信される複数のリソースブロック、コードワードあたりの変調コンステレーション、コードワードあたりの符号化速度、少なくとも１つのＰＭＩ、および少なくとも１つの送信電力値の少なくとも１つを直接指定することができる。さらに、表２はＱＰＳＫ、１６直交振幅変調（ＱＡＭ）、および６４ＱＡＭについて記述しているが、複数のインデックスは、他の種類の変調を示すように構成することができる。
【００４２】
図１と２とを引き続き参照しながら、ここで図３を参照すると、データストリームパラメータ情報を送信する典型的な方法３００を示している。ただし、方法３００は装置１０の各基地局１０４、１０８、および１１２の位置で実装することができる。前述のように、各基地局は対応している受信機１０２への少なくとも１つのデータストリームの送信用に異なる数の送信アンテナを提供することができる。各基地局１０４、１０８、および１１２は、方法３００を実行するように構成することができるのに対して、以下でさらに詳細に説明するように、方法３００の実装は、基地局で採用されている送信アンテナ数が様々であるため、適用されるインデックス付けスキームに対して変化することがある。
【００４３】
方法３００は、基地局の動作範囲内の１つまたは２つ以上の受信機１０２から送信機／受信機２０８がＰＭＩとＣＱＩ情報を受信できるオプションのステップ３０２で開始することができる。たとえば、基地局２０１は、スケジューリングされている各ユーザにサービスを提供するために、線形送信プリコーディングを使用してもよい。ＰＭＩは、全ての受信機に加えて基地局（ＢＳ）に対して既知のコードブックまたはプリコーディングマトリックスの集合から特定のプリコーディングマトリックスを決定する。ＢＳによって使用される送信プリコーダとＢＳが各スケジューリングされている受信機に割り当てる変調とコーディングスキーム（ＭＣＳ）とは、アップリンク制御チャネルまたはデータチャネルを通して複数のユーザからＢＳが受信するＰＭＩとＣＱＩとのフィードバックに依存していてもよい。したがって、ＰＭＩとＣＱＩとの情報とは、コントローラ２０６が適切な複数のデータストリームパラメータを各受信機に対して求めることを可能にする。ユーザはユーザのアップリンクフィードバックにおいてＭＵ−ＭＩＭＯユーザになるというユーザの選択を明示的に信号伝達することができる。その代わりに、ユーザはユーザの任意の型式のフィードバック情報を報告することが可能で、ＢＳはユーザをＭＵ−ＭＩＭＯユーザとしてスケジューリングすることを決定することができる。
【００４４】
ステップ３０４で、コントローラ２０６は、複数のデータストリームパラメータと対応するインデックスとを選択することによってパラメータ情報を生成することができる。前述のように、複数のデータストリームパラメータは、送信されるデータストリームの総数、ＰＳＩ、ＲＢの割り当て、コードワード毎の割り当てられている変調コンステレーション、コードワードあたりの符号化速度、使用される１つまたは２つ以上のＰＭＩ、および使用される複数の送信パワーレベルの少なくとも１つを含むことができる。ＰＳＩ自体は、ＰＭＩ、複数の送信パワーレベル、ＲＢの割り当てなどの他のデータパラメータ情報を搬送可能な複数のＲＢ位置を表すことができる。ここで、コントローラ２０６は、対応する基地局２０１がサービスを提供している受信機１０２の各々にＲＢ割り当てを実施するためにオプションのスケジューラ２０４を採用することができる。さらに、コントローラ２０６は、特定の受信機に対して選択されている複数のデータストリームパラメータに対応しているインデックスを選択するために表２に示しているような１つまたは２つ以上のインデックス付けスキームを採用するように構成することが可能である。前述のように、各基地局は、基地局が採用しているＴＸアンテナの数に基づいて異なるインデックス付けスキームを採用することができる。特に、各インデックス付けスキームは、対応している基地局の対応している数の送信アンテナに対してカスタマイズすることができる。したがって、コントローラ２０６は、基地局２０１が採用している送信アンテナ数を求め、送信アンテナ数に対応しているインデックス付けスキームを適用するように構成することができる。たとえば、基地局１０４のコントローラ２０６は、８つのＴＸアンテナを対象としている表２の上部を適用し、基地局１０８と１１２のコントローラ２０６は４つ以下のＴＸアンテナを対象としている表２の下部を適用することができる。ただし、表２の下部は４つのＴＸアンテナと２つのＴＸアンテナの基地局を対象としているが、複数のインデックス付けスキームは、基地局１０４、１０８、および１１２の各々が異なるインデックス付けスキームを採用するように構成することができる。たとえば、表２にまだ存在していない２つのＴＸアンテナの複数の基地局用の追加のデータパラメータ情報を提供するために、３つ以上のデータストリームの送信を対象としている複数のインデックスを再割り当てすることができる。さらに、各基地局は、表２全体またはその基地局に関連している表２の一部を保存し採用するように構成することができる。たとえば、基地局１０４のコントローラ２０６は表２の上部だけを保存し適用できるのに対して、基地局１０８と１１２の２つのコントローラ２０６は表２の下部だけを保存し適用することができる。したがって、表２の各部は、独立している表に等しい。
【００４５】
また、表２の典型的な複数のインデックス付けスキームに示しているように、表２の上部は表２の下部とは異なるデータストリームパラメータの集合を記述していることにも注意しなければならない。たとえば、上部も下部も、他方に含まれていない複数のデータストリームパラメータの説明を有している。さらに、上部と下部の各々において、設定されている複数のデータストリームパラメータの少なくとも部分集合は、複数の潜在的なデータ送信ストリームの部分集合のうち、対応している複数の選択されている部分集合を表している。たとえば、ビットシーケンス０ｂ００１１１と０ｂ０１０００に対応している複数のデータパラメータは、基地局１０８によって送信可能な４つの潜在的なデータストリームの部分集合である２つまたは３つのデータストリームの選択をそれぞれ表している。
【００４６】
コントローラ２０６は基地局１０４、１０８、および１１０の各々に存在していると説明したが、コントローラ２０６は、コントローラ２０６が装置１００内の他の各基地局のインデックス付け動作を管理するように１つの基地局において実装可能であることにも注意しなければならない。その代わりに、またはそれに加えて、コントローラ２０６を制御センター（不図示）に配置し、装置１００内の基地局の各々についてステップ３０４を実行するように構成することができる。
【００４７】
ステップ３０６で、コントローラ２０６の命令の下で、送信機２０８はステップ３０４で求められたパラメータ情報の指示を対応する基地局２０１によってサービスを受けている複数の受信機の各々に送信することができる。たとえば、送信機２０８は、ステップ３０４で求められた複数のインデックスを複数の基地局がサービスを提供している対応している各受信機に送信することができる。さらに、前述のように、送信機２０８は対応している基地局で採用されているＴＸアンテナの数を明示的に信号伝達することができる。
【００４８】
ステップ３０８で、送信機２０８は、コントローラ２０６の命令の下で、選択されているパラメータ情報に従って、複数のデータストリームを送信することができる。たとえば、送信機２０８は複数のデータストリームを、ステップ３０４で求められたデータストリームの総数、選択されている複数のＰＳＩ、ＲＢ割り当て、変調コンステレーション、符号化速度、使用されている１つまたは２つ以上のＰＭＩ、および送信パワーレベルの少なくとも１つに従って基地局２０１によってサービスを受けている複数の受信機に送信することができる。さらに、前述のように、対応しているインデックス付けスキームにおいて特定のリソース上で送信されるデータストリームの最大数は、対応しているインデックス付けキームがカスタマイズされている送信アンテナ数以下とすることができる、たとえば、表２の下部において、リソースブロックにおけるデータストリームの最大数は、下部がカスタマイズされている４つ以下の送信アンテナ以下である。
【００４９】
図１〜３を引き続き参照しながら、ここで図４を参照すると、パラメータ割り当て情報を復号する典型的な方法４００を示している。方法４００は、受信機１０２のプロセッサ２１０が好ましいプリコーダマトリックスインデクス情報およびチャネル品質情報の少なくとも一方を求めるオプションのステップ４０２から開始することができる。受信機１０２におけるＰＭＩとＣＱＩとの情報の決定は、当該技術において公知の方法を使用して実施することができる。オプションのステップ４０４において、受信機１０２は、好ましいプリコーダおよびチャネル品質情報の少なくとも一方をサービスを提供している基地局２０１に送信するように送信機／受信機２１２を使用することができる。
【００５０】
ステップ４０６において、受信機１０２の送信機／受信機２１２は選択されている複数のデータストリームパラメータを示しているインデックスを受信することができる。たとえば、受信機２１２は、前述のステップ３０６に従ってサービスを提供している基地局によって送信されたインデックスを受信することができる。さらに、ステップ４０８において、受信機２１２は、１つまたは２つ以上のデータストリームが受信されることになる、サービスを提供している基地局における送信アンテナ数の指示を受信することができる。ここで、受信機２１２は、サービスを提供している基地局２０１から送信アンテナ数の指示を直接受信することができる。
【００５１】
ステップ４１０において、受信機１０２のプロセッサ２１０は、サービスを提供している基地局２０１における送信アンテナ数に基づいて、インデックスから選択されている複数のデータストリームパラメータを求めることができる。特に、プロセッサ２１０は、送信アンテナの様々な数に対して各々がカスタマイズされている複数の変換スキームを保存し利用することができる。方法３００について説明したインデックス付けスキームは、そのような変換スキームの例である。ここで、プロセッサ２１０は、サービスを提供している基地局における送信アンテナ数に基づいて変換スキームの１つを選択することによってインデックスを変換するように構成することができる。たとえば、プロセッサ２１０は、基地局におけるアンテナの数が８つであることが求められたことに応じて表２の上部を適用し、基地局におけるアンテナの数が４つであることが求められたことに応じて表２の下部を適用するように構成することができる。そのため、適切な変換スキームを求めると、プロセッサ２１０は、求められた変換スキームに従って、受信したインデックスをデータストリームパラメータと相互参照することによって、インデックスを変換することができる。
【００５２】
ステップ４１２において、受信機２１２とプロセッサ２１０とは、選択されている複数のデータストリームパラメータに従って、複数のデータ信号をそれぞれ受信し処理することができる。たとえば、表２の複数の変換スキームが採用される場合、プロセッサ２１０は、ＰＳＩに対応している適切なパイロットストリームを選択するように、受信したインデックスから求められたＰＳＩを利用することができる。さらに、プロセッサ２１０は、パイロットストリーム内の複数のデータ信号を受信し処理することができる。その代わりに、またはそれに加えて、プロセッサ２０１は、パイロットストリーム内の情報を採用することによって、選択されている複数のデータストリームパラメータに従って、データチャネル１０３上のユーザ−データストリームにおいて複数のデータ信号を受信し処理することができる。前述のように、複数のデータストリームは、複数のユーザーデータストリーム用のＲＢ割り当て、コードワードあたりの割り当てられている変調コンステレーション、コードワードあたりの符号化速度、使用されている１つまたは２つ以上のＰＭＩ、および複数の送信パワーレベルの少なくとも１つを搬送することができる。そのため、プロセッサ２１０は、ＲＢ割り当てに従って、複数のデータストリームが送信される複数のリソースブロックを選択することによって、ユーザ−データを搬送している複数のデータストリームを受信し、割り当てられている変調、符号化速度、およびＰＭＩの少なくとも１つに従って、複数のデータストリームを処理することができる。前述のように、任意の１つまたは２つ以上のこれらのパラメータを変換テーブルに明示的に含め、代替の実施形態において、インデックスによって直接搬送することができる。
【００５３】
ただし、プロセッサ２１０は、変調情報などの受信したインデックスから求めることができる同時にスケジューリングされているユーザの情報に従って、パイロットストリーム内のまたは受信機を対象にユーザ−データを搬送しているデータストリーム内の複数のデータ信号を処理することができる。たとえば、プロセッサは変調情報を使用して干渉相殺を実施することができる。さらに、同時にスケジューリングされているユーザについての他の情報をインデックス内で搬送し、プロセッサ２１０によって複数のデータ信号の処理に利用することができる。たとえば、インデックスは、プロセッサ２１０が対応している複数の有効なチャネルを予測し、その割り当てられているサブキャリヤの各々について最小平均２乗誤差（ＭＭＳＥ）フィルタを構成できるように、プロセッサ２１０に他の同時にスケジューリングされているユーザの幾人かまたは全員にサービスを提供するのに使用される複数のプリコーダと複数のパワーレベルとを知らせることができる。その結果、プロセッサ２１０は、他の同時にスケジューリングされている受信機を対象としている送信によって遭遇する干渉を抑制することができる。
【００５４】
さらに、他の同時にスケジューリングされているユーザとの重複のある各ＲＢについて、インデックスは受信機に複数のプリコーダと複数のパワーレベルだけではなく、他の同時にスケジューリングされているユーザの幾人かまたは全員にサービスを提供するために使用可能な変調も知らせることができる。この情報を使用して、受信機は、その複数のコードワードに対するより信頼性の高い複数の対数尤度比（ＬＬＲ）を生成し、したがってそのエラーの確率を減少させる変調を考慮した、より洗練された復調を採用することができる。さらに、インデックスはプロセッサ２１０に、受信機が完全に重複している、つまり同じＲＢ割り当てを有している他の同時にスケジューリングされているユーザの幾人かまたは全員にサービスを提供するために使用される複数のプリコーダ、複数のパワーレベル、複数の変調、および複数の符号化速度を知らせることができる。それに応じて、このインデックスに基づいて、ユーザは他の同時にスケジューリングされているユーザの幾人かまたは全員の複数のコードワードを復号し、再構築された複数のコードワードを減算することによって干渉相殺を実施することができる。
【００５５】
当然、複数の受信機が効果的に復号エラーを削減できるように、データパラメータ情報の他の様々な集合をインデックスを通して搬送することができる。さらに、本明細書で説明した本発明の実施形態は、ユーザが送信アンテナ数を使用することによってそのような情報のより広い範囲を受信できるようにするので、それらの実施形態は基地局と受信機との間で送信される制御情報の量を増加させずにそれらの間の通信の品質を際だって向上させることができる。
【００５６】
フィードフォワード制御と復号の装置と方法の好ましい複数の実施形態（実例を示すことを目的とし、限定を意図していない）を説明したが、上記教えに鑑み、当業者は修正と変形を行うことができる。そのため、添付の特許請求の範囲で概説したような本発明の範囲内で、開示されている特定の実施形態を変更することができる。本発明の態様を特許法が要求する詳細さと具体性とを備えて説明したが、請求し特許状による保護を要望する内容を添付の請求項に記述している。
【図１】
0005409956.tif 000040
【図２】
0005409956.tif 000041
【図３】
0005409956.tif 000042
【図４】
0005409956.tif 000043